(57)【特許請求の範囲】
【請求項１】
内部が気水分離室と駆動モータ収納室とに左右に仕切られて前記気水分離室の上部に内部に流体を吸い込ませるための吸込口用筒体及び内部に吸い込まれた流体を外部に吐出させる吐出口用筒体を設けたポンプケーシング本体と、このポンプケーシング本体の底部開口を封止するベースカバーと、前記駆動モータ収納室に収納された駆動モータとを備え、前記駆動モータ収納室の下方に位置して前記ポンプケーシング本体と前記ベースカバーとの間に、前記駆動モータの回転軸に連結したポンプランナーが収納されるポンプランナー収納室を形成し、このポンプランナー収納室と前記吸込口用筒体を吸込水通路及び吸込室を介して連通してなるとともに、前記吸込水通路を、前記気水分離室内を貫き前記ベースカバー内底に向って延在する細長筒状体を含む構成とし、かつ、前記吸込室から前記吸込水通路側への流体の逆流を阻止する逆流防止弁を設け、しかも、前記ポンプランナー収納室から前記気水分離室側に吐出した流体が、前記気水分離室内で前記細長筒状体の周囲に沿って旋回するのを阻止する旋回阻止体を前記気水分離室内に設けるとともに、前記ポンプランナーの回転遠心力により前記ポンプランナーの外方に押しやられた流体を前記ポンプランナー収納室から前記気水分離室側に吐出させる吐出開口を有する渦巻き形状の水案内壁部と前記逆流防止弁を収納する袋状部とを一体的に成形して形成した仕切り体を、前記ポンプケーシング本体の外底部と立ち上がり外周壁部との間で挟持することで、前記吸込室を形成する自吸式ポンプ装置において、
前記仕切り体の吐出開口から吐出する流体の流れの方向を上方に変える方向変更壁体と、吐出開口の前方に一体的に成形して形成した仕切り体を、前記ポンプケーシング本体の外底部とベースカバーに一体的に成形して形成した立ち上がり外周壁との間で挟持することで前記吸込室を形成することを特徴とする縦型自吸式ポンプ装置。
【発明の詳細な説明】
【技術分野】
【０００１】
本発明は、家庭用の全自動洗濯機及び洗濯乾燥機などの洗濯機に搭載して風呂の残り湯などを吸水するのに好適な自吸式ポンプ装置に関するものである。
【背景技術】
【０００２】
従来、家庭用の全自動洗濯機及び洗濯乾燥機などの洗濯機では、主に節水を目的として風呂水等を洗濯水として利用するため自吸式ポンプ装置を搭載している。この自吸式ポンプ装置としては、吸込口用筒体とポンプランナー収納室とを連結した中継パイプを気水分離室の中央近傍を貫くように配置し、ポンプランナーを囲繞してポンプランナー収納室を形成し、かつポンプランナーの回転遠心力によりポンプランナーの外方へ押しやられる流体をポンプランナー収納室から気水分離室へ吐出させる吐出開口を有する水案内壁部を備え、この吐出開口から吐出した流体の流れが、中継パイプとポンプケーシング本体内側壁の間を通過し、中継パイプの周囲を旋回するようにすることで、気水分離室内を貫く中継パイプを、流体の流れを形の良い縦渦とする案内部材とした構成のものが知られている（例えば、特許文献１）。
【０００３】
【特許文献１】特開２００１−９０６８５号公報
【発明の開示】
【発明が解決しようとする課題】
【０００４】
しかしながら、上記特開２００１−９０６８５号公報に記載された自吸式ポンプ装置の構成では、ポンプランナーの回転によって、水案内壁部の吐出開口から気水分離室側に吐出させた流体の流れが、ポンプケーシング本体内を旋回しながらゆっくりと上昇する縦渦となるため、その流体の流速の変化が生じ難い状態となり、気水分離が効率よく行われないという問題があった。
【０００５】
さらに、上記特開２００１−９０６８５号公報に記載された自吸式ポンプ装置では、流体の流れを形の良い縦渦とする案内部材となるところの気水分離室内を貫く中継パイプを、吸込口用筒体に接続するストレート部、このストレート部の下端から直角に湾曲した湾曲部を有するＬ字状パイプ部、及びこのＬ字状パイプ部の湾曲部の開放部分を取り囲むように形成された逆流防止部からなる第１パイプ部材と、ポンプランナー収納室の下面を構成する平坦面、この平坦面のごく一部を利用して形成するＬ字状パイプ部、及び第１パイプ部材との接続部とからなる第２パイプ部材とから構成するという複雑な構成としているため、製作性が悪いという問題があった。
【０００６】
本発明は、上記背景技術の現状を鑑みてなされたもので、その主たる目的は、気水分離を効率よく行わせることのできる製作性に優れた自吸式ポンプ装置を提供することにある。
【０００７】
本発明の他の目的は、気水分離を効率よく行わせることができるとともに、仕切り体の吐出開口から吐出する流体の流れの方向を上方に変える方向変更壁体の製作性が優れた自吸式ポンプ装置を提供することにある。
【０００８】
さらに本発明の他の目的は、気水分離を効率よく行わせることができるとともに、仕切り体の吐出開口から気水分離室側に吐出させた流体に含まれる空気が戻し水口からポンプランナー収納室内に流入するのを抑止できる自吸式ポンプ装置を提供することにある。
【課題を解決するための手段】
【０００９】
内部が気水分離室と駆動モータ収納室とに左右に仕切られて前記気水分離室の上部に内部に流体を吸い込ませるための吸込口用筒体及び内部に吸い込まれた流体を外部に吐出させる吐出口用筒体を設けたポンプケーシング本体と、このポンプケーシング本体の底部開口を封止するベースカバーと、前記駆動モータ収納室に収納された駆動モータとを備え、前記駆動モータ収納室の下方に位置して前記ポンプケーシング本体と前記ベースカバーとの間に、前記駆動モータの回転軸に連結したポンプランナーが収納されるポンプランナー収納室を形成し、このポンプランナー収納室と前記吸込口用筒体を吸込水通路及び吸込室を介して連通してなるとともに、前記吸込水通路を、前記気水分離室内を貫き前記ベースカバー内底に向って延在する細長筒状体を含む構成とし、かつ、前記吸込室から前記吸込水通路側への流体の逆流を阻止する逆流防止弁を設け、しかも、前記ポンプランナー収納室から前記気水分離室側に吐出した流体が、前記気水分離室内で前記細長筒状体の周囲に沿って旋回するのを阻止する旋回阻止体を前記気水分離室内に設けるとともに、前記ポンプランナーの回転遠心力により前記ポンプランナーの外方に押しやられた流体を前記ポンプランナー収納室から前記気水分離室側に吐出させる吐出開口を有する渦巻き形状の水案内壁部と前記逆流防止弁を収納する袋状部とを一体的に成形して形成した仕切り体を、前記ポンプケーシング本体の外底部と立ち上がり外周壁部との間で挟持することで、前記吸込室を形成する自吸式ポンプ装置において、
前記仕切り体の吐出開口から吐出する流体の流れの方向を上方に変える方向変更壁体と、吐出開口の前方に一体的に成形して形成した仕切り体を、前記ポンプケーシング本体の外底部とベースカバーに一体的に成形して形成した立ち上がり外周壁との間で挟持することで前記吸込室を形成することを特徴とするものである。
【００１０】
さらに、本発明の他の目的を達成するために、前記仕切り体の吐出開口から吐出する流体を前記気水分離室側に向って案内する流体案内壁面を、前記仕切り体の吐出開口に連なるところの前記仕切り体の外周壁に一体形成するとともに、その流体案内壁面の終端部分に、前記方向変更壁体を一体形成し、かつ、前記方向変更壁体を、前記仕切り体の吐出開口から吐出した流体が前記方向変更壁体に衝突した後、その流体が略直角に上昇するように板状としたことを特徴としている。
【００１１】
さらに、本発明の他の目的を達成するために、前記ポンプランナー収納室から前記気水分離室側に吐出した流体を、前記ポンプランナー収納室の水案内壁部及び前記吸込室の外周壁となる立ち上がり外周壁部の外周を循環させて前記気水分離室側に戻すための循環通路を、前記立ち上がり外周壁部及び前記水案内壁部と前記ベースカバー内側壁との間に形成し、かつ、前記循環通路を循環する前記流体を前記ポンプランナー収納室内に戻すための戻し水口を設け、この戻し水口と前記方向変更壁体の位置関係を、ポンプランナーの筒状軸部の中心にして略対向するように設定したことを特徴としている。
【発明の効果】
【００１２】
本発明によれば、仕切り体の吐出開口から吐出する流体の流れの方向を上方に変える方向変更壁体が、仕切り体の吐出開口の前方に設けられているので、仕切り体の吐出開口から気水分離室側に吐出した流体（呼び水）が、自吸運転時、直ぐに方向変更壁体に衝突した後、その流体の流れ方向を水平方向から垂直方向（上方方向）に変えられるため、その流体の流速が急速に低下し、しかも、流体の流れ方向が水平方向から垂直方向（上方方向）に変えられた後、気水分離室側に吐出した流体が旋回阻止体の周囲を旋回することがないので、ポン仕切り体の吐出開口から気水分離室側に吐出した流体に含まれている空気が、ポンプケーシング本体内の上方に向かって円滑に移動するため、仕切り体の吐出開口より気水分離室側に吐出した流体に含まれている空気の気水分離が効率よく行われて、ポンプケーシング本体の吐出口用筒体からはポンプ仕切り体の吐出開口から気水分離室側に吐出した流体をほとんど流出させることなく、かつ仕切り体の吐出開口より気水分離室側に吐出した流体に含まれる空気を、ポンプケーシング本体の吐出口筒体から効率よく排出させることができ、気水分離性能の優れた自吸式ポンプ装置が得られる。
【００１３】
さらに、他の本発明によれば、仕切り体の吐出開口から吐出する流体を気水分離室側に向って案内する流体案内壁面を、仕切り体の吐出開口に連なるところの前記仕切り体の外周壁に一体形成するとともに、その案内壁の終端部分に方向変更壁体を一体形成することで、その方向変更壁体を、仕切り体を成形時に一体成形することができるため、製作性に優れた自吸式ポンプ装置が得られる。
【００１４】
さらに、他の本発明によれば、仕切り体の吐出開口から気水分離室側に吐出した流体をポンプランナー収納室の水案内壁部及び吸込室の外周壁となる立ち上がり外周壁部の外周を循環させて気水分離室側に戻すための循環通路を、立ち上がり外周壁部及び水案内壁部とベースカバー内側壁との間に形成して、その循環通路を循環する流体をポンプランナー収納室内に戻すための戻し水口を、その循環通路に設ける構成としても、戻し水口と方向変更壁体と位置関係が、ポンプランナーの筒状軸部を中心にして略対向するように設定することで、気水分離室側及び仕切り体の吐出開口部分の両方から最も離れた位置に戻し水口が設けられるようになるため、仕切り体の吐出開口から気水分離室側に吐出した流体中に含まれている空気が、戻し水孔からポンプランナー収納室に再び戻されるのを抑止できるので、自吸性能の低下を防止できる自吸式ポンプ装置が得られる。
【発明を実施するための最良の形態】
【００１５】
以下、本発明の実施形態を、図１〜図２５に基づき、詳説する。
図１は、本発明の一実施形態に係わる自吸式ポンプ装置の要部縦断面図である。
図２は、本発明の一実施形態に係わる自吸式ポンプ装置全体の分解斜視図である。
図３は、本発明の一実施形態に係わる自吸式ポンプ装置の外観斜視図である。
図４は、本発明の一実施形態に係わる自吸式ポンプ装置の側面図である。
図５は、図４のＡ―Ａ断面図である。
図６は、本発明の一実施形態に係わる自吸式ポンプ装置における仕切り体及びベースカバーの分解斜視図である。
図７は、本発明の一実施形態に係わる自吸式ポンプ装置のベースカバーの正面図である。
図８は、本発明の一実施形態に係わる自吸式ポンプ装置のベースカバーの上面図である。
図９は、本発明の一実施形態に係わる自吸式ポンプ装置のベースカバーの下面図である。
図１０は、本発明の一実施形態に係わる自吸式ポンプ装置のベースカバーの右面図である。
図１１は、本発明の一実施形態に係わる自吸式ポンプ装置のベースカバーの左面図である。
図１２は、本発明の一実施形態に係わる自吸式ポンプ装置の仕切り体の上面図である。
図１３は、図１２のＢ―Ｂ断面図である。
図１４は、本発明の一実施形態に係わる自吸式ポンプ装置の仕切り体の下面図である。
図１５は、本発明の一実施形態に係わる自吸式ポンプ装置の仕切り体の左側面図である。
図１６は、本発明の一実施形態に係わる自吸式ポンプ装置の正面縮小図である。
図１７は、本発明の一実施形態に係わる自吸式ポンプ装置の上面縮小図である。
図１８は、本発明の一実施形態に係わる自吸式ポンプ装置の左側面縮小図である。
図１９は、本発明の一実施形態に係わる自吸式ポンプ装置の背面縮小図である。
図２０は、本発明の一実施形態に係わる自吸式ポンプ装置の下面縮小図である。
図２１は、本発明の一実施形態に係わる自吸式ポンプ装置の逆流防止弁の上面図拡大である。
図２２は、図２１のＣ−Ｃ断面図である。
図２３は、図２１のＤ−Ｄ断面図である。
図２４は、本発明の一実施形態に係わる自吸式ポンプ装置におけるポンプケーシング本体の要部横断面図である。
図２５は、本発明の一実施形態に係わる自吸式ポンプ装置におけるポンプケーシング本体の要部縦断面図である。
【００１６】
図1〜図２５に示す本発明の一実施形態に係わる自吸式ポンプ装置１は、内部が気水分離室２Ａと駆動モータ収納室２Ｂとに左右に仕切られて気水分離室２Ａの上部に内部に流体を吸い込ませるための吸込口用筒体２Ｃ及び内部に吸い込まれた流体を外部に吐出させる吐出口用筒体２Ｄを設けたポンプケーシング本体２と、このポンプケーシング本体２の底部開口２Ｑの全体を封止する深皿状のベースカバー３と、駆動モータ収納室２Ｂに収納された駆動モータ４とを備え、駆動モータ収納室２Ｂの下方に位置してポンプケーシング本体２の外底部２Ｅとベースカバー３の内底との間に、駆動モータ４の回転軸４Ａに連結した合成樹脂からなるクローズブレードタイプのポンプランナー５が収納されるポンプランナー収納室６を形成して、このポンプランナー収納室６と吸込口用筒体２Ｃを吸込水通路７及び吸込室８を介して連通してなるとともに、吸込水通路７を、気水分離室２Ａ内を貫きベースカバー３内底に向って延在する細長筒状体９を含む構成とし、かつ吸込室８から吸込水通路７側への流体の逆流を阻止する逆流防止弁１０を設ける構成としてある。
【００１７】
吸込口用筒体２Ｃは、ポンプケーシング本体２の上面に設けられている。吐出口用筒体２Ｄは、ポンプケーシング本体２の上部側面に設けられている。また、気水分離室２Ａ内の細長筒状体９は、駆動モータ収納室２Ｂ側から離れる方向にずらしてある。すなわち、細長筒状体９が気水分離室２の縦長方向の中心よりも駆動モータ収納室２Ｂ側から離れる方向にずらしてある。本実施形態例では、細長筒状体９の駆動モータ収納室２Ｂ側の外側面が、気水分離室２の縦長方向の中心に略一致するように、細長筒状体９を駆動モータ収納室２Ｂ側から離れる方向にずらしてある（図２４及び図２５を参照）。
【００１８】
ポンプケーシング本体２は、合成樹脂製とし、外郭形状を縦長の略箱状としてある。ポンプケーシング本体２の駆動モータ収納室２Ｂの底部分には、図１に示すように、駆動モータ４を支えるために上方に向って突出させた形状とした支え筒部２Ｆと駆動モータ支えリブ２Ｒが設けられている（図２４及び図２５を参照）。支え筒部２Ｆの中央部には、駆動モータ４の回転軸４Ａを挿入するための回転軸挿入開口２Ｓが設けられている。支え筒部２Ｆの外方に位置するところのポンプケーシング本体２の側面には、水抜き孔２Ｇが設けられている。駆動モータ４の回転軸４Ａを支え筒部２Ｆの中央から下方に突出させ、その回転軸４Ａにポンプランナー５の筒状軸部５Ａを圧入することで、ポンプランナー５の筒状軸部５Ａが駆動モータ４の回転軸４Ａに取り付けられる。
【００１９】
ポンプランナー５の筒状軸部５Ａと支え筒部２Ｆの内側壁との間には、図１に示すように、円盤状のシール部材（オイルシール）１１が設けられている。この円盤状のシール部材１１によって、ポンプランナー５が収納されるポンプランナー収納室６内から流体が支え筒部２Ｆ側に浸入するのを阻止している。ポンプケーシング本体２の上部側面には、気水分離室２Ａ内、ポンプランナー収納室６内及び吸込室８内に呼び水を注入するための呼び水口用筒体２Ｈが設けられている。支え筒部２Ｆの内側壁には、円盤状のシール部材１１の位置決めの機能を果たす複数個の位置決めリブ２Ｋが設けられている。水抜き孔２Ｇは、シール部材（オイルシール）１１が損傷することで、万一、ポンプランナー収納室６内から流体が支え筒部２Ｆ側に浸入してきた場合に、その流体をポンプケーシング本体２の外に流出させるものである。ポンプケーシング本体２は、駆動モータ収納室２Ｂ、吸込口用筒体２Ｃ及び細長筒状体９を成形するための上型と、気水分離室２Ａ、後述する旋回阻止体１５の第１塞ぎ体１５Ａ及び支え筒部２Ｆを成形するための下型と、吐出口用筒体２Ｄ及び呼び水口用筒体２Ｈを成形するための右側方型と、水抜き孔２Ｇを成形するための右側方型によって、型抜きすることで、成形することができる。
【００２０】
ポンプケーシング本体２の駆動モータ収納室２Ｂの上端開口２Ｊは、この上端開口２Ｊから駆動モータ収納室２Ｂに駆動モータ４に挿入設置した後、合成樹脂製のモータキャップ１２で蔽うようにしてある。モータキャップ１２は、駆動モータ４の軸方向のがたつきを抑える機能を有している。駆動モータ４の電気的接続体１３は、モータキャップ１２の引出開口１２Ａからポンプケーシング本体２及びモータキャップ１２の外方に突出させてある。吸込口用筒体２Ｃは、ポンプケーシング本体２に取り付けられたモータキャップ１２の上面よりも上方に突出させることで、揚水用の可撓性のある吸水ホース（図示せず）の脱着作業がしやすいようにしてある。モータキャップ１２の外側壁には、ポンプケーシング本体２の外周上部に設けた２個の嵌合穴部２Ｐに着脱可能に嵌め込まれところの２個の係止片１２Ｂが設けられている。
【００２１】
深皿状のベースカバー３は、合成樹脂製とし、そのベースカバー３内には、図１及び図６に示すように、細長筒状体９の下端側が連結嵌合される吸込水通路用連結筒体３Ａと、この吸込水通路用連結筒体３Ａに隣接して設けられる横架平板部３Ｋと、この横架平板部３Ｋに設けられるところの吸込水通路用連結筒体３Ａに連通したリング状の水平弁座部３Ｂと、この水平弁座部３Ｂに隣接して横架平板部３Ｋに設けられるところの逆流防止弁１０を取り付けるための逆流防止弁用取り付け凹部３Ｃと、吸込水通路用連結筒体３Ａから水平弁座部３Ｂまでの連通路３Ｈと、吸込室８の外周壁となる立ち上がり外周壁部３Ｄと、後述する旋回阻止体１５の第２塞ぎ体１５Ｂとが形成されている。
【００２２】
立ち上がり外周壁部３Ｄは、図６及び図８に示すように、水平弁座部３Ｂと吸込水通路用連結筒体３Ａとの間に設けられる第１仕切り壁３Ｄ−１と、この仕切り壁に連なって左右に設けた第２仕切り壁３Ｄ−２及び第３仕切り壁３Ｄ−３と、この第２仕切り壁３Ｄ−２及び第３仕切り壁３Ｄ−３に連なる第４仕切り壁３Ｄ−４とからなり、第１仕切り壁３Ｄ−１、第２仕切り壁３Ｄ−２及び第３仕切り壁３Ｄ−３をベースカバー３の内壁に対して平行となる直線形状とし、かつ第４仕切り壁３Ｄ−４を湾曲形状としてある。第１仕切り壁３Ｄ−１は、横架平板部３Ｋ上に一体的に形成されている。第２仕切り壁３Ｄ−２、第３仕切り壁３Ｄ−３及び第４仕切り壁３Ｄ−４は、ベースカバー３の内底に一体的に形成されている。また、細長筒状体９の水通路断面積をＳ１、連通路３Ｈの水通路断面積をＳ２、水平弁座部３Ｂの開口面積をＳ３、連絡開口Ｇの開口面積をＳ４、流入開口１４Ｄの開口面積をＳ５とした場合に、Ｓ１＜Ｓ２＜Ｓ３＜Ｓ４＜Ｓ５となるように設定することで、吸込水通路７及び吸込室８を通る流体の流量が減少しないようにしてある。本実施形態では、連通路３Ｈの水通路断面積Ｓ２を、細長筒状体９の水通路断面積Ｓ１の１．０４倍となるように設定してある。
【００２３】
逆流防止弁１０は、ゴム製であって、図６に示すように、円盤状の弁体部１０Ａと、この弁体部１０Ａに一体的に形成された取り付け片部１０Ｂとからなっている。逆流防止弁１０は、弁体部１０Ａの下面側の平坦面１０Ｅが水平となるように、ベースカバー３の逆流防止弁用取り付け凹部３Ｃに保持させるとともに、弁体部１０Ａが上下方向に開閉可能な構造としてある。逆流防止弁１０は、ポンプランナー５の回転時には、弁体部１０Ａが上方に回動することで水平弁座部３Ｂから離れることが可能となる重量に設定されとともに、ポンプランナー５の回転停止時には、逆流防止弁１０の弁体部１０Ａの重量で、その弁体部１０Ａが下方に回動して水平弁座部３Ｂに押圧させることにより、吸込室８から吸込水通路７側への流体の逆流を阻止するようにしてある。逆流防止弁１０の詳細構造を図２１から図２３に示す。逆流防止弁１０の弁体部１０Ａの上面には、逆流防止弁１０の成形時のヒケ対策にための、円形の中央凹部１０Ｃとリング溝１０Ｄが設けられている。
【００２４】
仕切り体１４は、合成樹脂製とし、図１及び図６に示すように、ポンプランナー５の回転遠心力によりそのポンプランナー５の外方に押しやられた流体をポンプランナー収納室６から気水分離室２Ａ側に吐出させる吐出開口１４Ｂを有する渦巻き形状の水案内壁部１４Ａと、逆流防止弁１０を収納するための袋状部１４Ｃと、ポンプランナー５の中央開口５Ｂに対向するように設けられる略ベルマウス状の流入開口１４Ｄと、ベースカバー３の立ち上がり外周壁部３Ｄ（第１仕切り壁３Ｄ−１、第２仕切り壁３Ｄ−２、第３仕切り壁３Ｄ−３及び第４仕切り壁３Ｄ−４）の上端部が嵌めこまれる嵌合溝（凹み部）１４Ｅと、逆流防止弁１０の取り付け片部１０Ｂが逆流防止弁用取り付け凹部３Ｃから抜け出るのを押える押え部１４Ｆが一体に形成されている。
【００２５】
仕切り体１４の嵌合溝１４Ｅをベースカバー３の立ち上がり外周壁部３Ｄに嵌め込んだ状態では、図１に示すように、ベースカバー３の水平弁座部３Ｂと仕切り体１４の内側壁との間に、連通路３Ｈ側を流入開口１４Ｄ側に連通させる連絡開口Ｇが形成されるようにしてある。なお、仕切り体１４の嵌合溝１４Ｅの外縁には、ベースカバー３の立ち上がり外周壁部３Ｄのうちの第２仕切り壁３Ｄ−２、第３仕切り壁３Ｄ−３及び第４仕切り壁３Ｄ−４と仕切り体１４の嵌合溝１４Ｅとの水密性を向上させるためのスカート部（裾部）１４Ｇが、一体的に設けられている。また、仕切り体１４の袋状部１４Ｃには、図５、図１２及び図１３などに示すように、その袋状部１４Ｃの側壁のうちの、吸込水通路用連結筒体３Ａ側に面した側壁の中央部分を外方に膨出させた膨出部１４Ｈを設けるようにしてある。これにより、仕切り体１４の袋状部１４Ｃを大きくすることなく、円盤状の弁体部１０Ａが、袋状部１４Ｃの側壁に接触しないで上下動することのできる必要最小限の隙間を、確保できる。
【００２６】
仕切り体１４の吐出開口１４Ｂの前方には、図５や図６に示すように、仕切り体１４の吐出開口１４Ｂから吐出する流体の流れの方向を上方に変える方向変更壁体１４Ｊが設けられている。本実施形態では、仕切り体１４の吐出開口１４Ｂから吐出する流体を気水分離室側に向って案内する流体案内壁面１４Ｋを、仕切り体１４の吐出開口１４Ｂに連なるところの仕切り体１４の外周壁に一体形成するとともに、その流体案内壁面１４Ｋの終端部分に方向変更壁体１４Ｊを一体形成する構成としてある。方向変更壁体１４Ｊは、仕切り体１４の吐出開口１４Ｂから吐出した流体が方向変更壁体１４Ｋに衝突した後、その流体が略直角に上昇するように板状としてある。しかも、方向変更壁体１４Ｋにおける仕切り体１４の吐出開口１４Ｂから吐出した流体の衝突面の面積が、仕切り体１４の吐出開口１４Ｂの流出開口面積と略同一となるように設定してある。
【００２７】
ポンプケーシング本体２及びベースカバー３には、仕切り体１４の吐出開口１４Ｂから気水分離室２Ａ側に向かって吐出された流体が、吸込水通路７を構成する細長筒状体９の周囲に沿って旋回するのを阻止する旋回阻止体１５が形成されている。旋回阻止体１５は、図１に示すように、細長筒状体９とポンプケーシング本体２内側壁との間の間隙を塞ぐ第１塞ぎ体１５Ａと、ベースカバー３の吸込水通路用連結筒体３Ａとベースカバー３の内側壁との間の間隙を塞ぐ第２塞ぎ体１５Ｂとからなっている。第１塞ぎ体１５Ａは、細長筒状体９とポンプケーシング本体２内側壁とを一体的に連結してなる遮蔽板部からなっており、細長筒状体９をポンプケーシング本体２内側壁に近づけて配置することによって、その遮蔽板部の横幅を小さくするようにしてある。第２塞ぎ体１５Ｂは、図５及び図６に示すように、吸込水通路用連結筒体３Ａとベースカバー３の内側壁とを一体的に連結してなる遮蔽板部からなっており、吸込水通路用連結筒体３Ａをベースカバー３の内側壁に近づけて配置することによって、その遮蔽板部の横幅を小さくするようにしてある。
【００２８】
本実施形態では、第１塞ぎ体１５Ａを、細長筒状体９とポンプケーシング本体２内側壁との間の隙間全長に亘って形成するようにしてあるとともに、第２塞ぎ体１５Ｂを、吸込水通路用連結筒体３Ａとベースカバー３の内側壁との間の隙間全長に亘って形成するようにしてある。本実施形態では、ポンプケーシング本体２の吐出口用筒体２Ｄは、第１塞ぎ体１５Ａの側面側外方に位置するところのポンプケーシング本体２の上部側面に設けるようにしてある。
【００２９】
立ち上がり外周壁部３Ｄ及び水案内壁部１４Ａとベースカバー３の内側壁との間には、ポンプランナー収納室６から気水分離室２Ａ側に吐出した流体を、図５の一点鎖線Ｐ１に示すように、ポンプランナー収納室６の水案内壁部１４Ａ及び吸込室８の外周壁となる立ち上がり外周壁部３Ｄの外周を循環させて気水分離室２Ａ側に戻すための循環通路１６が形成されている。循環通路１６の途中であって仕切り体１４の水案内壁部１４Ａにおける下端部分には、循環通路１６を循環する流体をポンプランナー収納室６内に戻すための、略細長楕円形状の戻し水口１７が形成されている。本実施形態では、戻し水口１７と方向変更壁体１４Ｊとの位置関係が、図５に示すように、ポンプランナー５の筒状軸部５Ａの中心にして略対向するように設定することで、気水分離室２Ａ側及び仕切り体１４の吐出開口１４Ｂ部分の両方から最も離れた位置に略細長楕円形状の戻し水口１７が形成されるようにしてある。
【００３０】
気水分離室２Ａ内を貫きベースカバー３内底に向って略垂直に延在する細長筒状体９は、その上端が吸込口用筒体２Ｃに一体的に連なり、かつその下端がベースカバー３の吸込水通路用連結筒体３Ａに連なっている。ベースカバー３の吸込水通路用連結筒体３Ａの内周には、リング状の弾性封止部材（パッキン）１８を載置可能とする段差部３Ｅが形成されている。細長筒状体９は、その細長筒状体９の下端の径小部９Ａを吸込水通路用連結筒体３Ａに挿入した後、その細長筒状体９の径小部９Ａの端面を、弾性封止部材１８を介して吸込水通路用連結筒体３Ａの段差部３Ｅに押圧することで、ベースカバー３の吸込水通路用連結筒体３Ａに水密的に連結される。
【００３１】
本実施形態では、図１に示すように、仕切り体１４をポンプケーシング本体２の外底部２Ｅと立ち上がり外周壁部３Ｄとの間で挟持することにより、細長筒状体９がベースカバー３の吸込水通路用連結筒体３Ａに連結されて吸込室８が形成されると同時に、逆流防止弁用取り付け凹部３Ｃに逆流防止弁１０の取り付け片部１０Ｂを固定保持するようにしてある。この場合、逆流防止弁１０の取り付け片部１０Ｂは、逆流防止弁１０の弁体部１０Ａの重量で、その逆流防止弁１０の弁体部１０Ａの平坦面１０Ｅが、ベースカバー３の水平弁座部３Ｂに押圧されるように、ベースカバー３の逆流防止弁用取り付け凹部３Ｃに取り付けられる。なお、本実施形態では、吸込口用筒体２Ｃから細長筒状体９内及び連通路３Ｈ内を通って水平弁座部３Ｂに至る通路を、吸込水通路７と称し、かつ水平弁座部３Ｂから仕切り体１４の流入開口１４Ｄに至る通路を、吸込室８と称している。
【００３２】
本実施形態では、駆動モータ４を、外郭形状を小判筒状とした小形の整流子モータとしてある。駆動モータ４は、約７０００ｒ／分の回転数が得られるように設定されている。ポンプランナー１０の最外径は、約２６mmに設定されている。細長筒状体９の内径を約１４ｍｍに設定されている。仕切り体１４の流入開口１４Ｄから気水分離室２Ａ側に向って吐出する流体の流速は、約２ｍ／秒に設定されている。
【００３３】
ポンプケーシング本体２の上部部分には、図２に示すように、吸込口用筒体２Ｃ、吐出口用筒体２Ｄ及び呼び水口用筒体２Ｈが配設されている。ポンプケーシング本体２の吐出口用筒体２Ｄ及び呼び水口用筒体２Ｈは、水平方向（駆動モータ４の回転軸４Ａの軸方向に対して直角の方向）に延在させるように形成されている。ポンプケーシング本体２の上面に形成された吸込口用筒体２Ｃには、その開口端に円筒状のホース取り付け用フランジ２Ｌが形成されている。ポンプケーシング本体２の吸込口用筒体２Ｃには、ホース取り付け用フランジ２Ｌを利用して、揚水用の可撓性のある吸水ホース（図示せず）が着脱可能に取り付けられる。この吸水ホース（図示せず）の自由端側は、浴槽（図示せず）内に投入されている。ポンプケーシング本体２の吸込口用筒体２Ｃの内方には、風呂水に含まれている細塵を除去するフイルター（図示せず）が着脱自在に設けられている。
【００３４】
ポンプケーシング本体２とベースカバー３は、ポンプケーシング本体２の取り付けフランジ２Ｍの端面全周に設けた溶着用リブ２Ｎを、ベースカバー３の取り付けフランジ３Ｆの端面全周に設けた溶着用溝３Ｇに嵌合した後、その溶着用溝３Ｇの全周に予め挿入したステンレス線（接続線）１９に電気を流すことで溶着用リブ２Ｎを溶着用溝３Ｇ内で熱溶着させることにより、一体的化される。
【００３５】
深皿状のベースカバー３の内底に、吸込水通路用連結筒体３Ａとこの水平弁座部３Ｂと逆流防止弁用取り付け凹部３Ｃと立ち上がり外周壁部３Ｄと旋回阻止体１５の第２塞ぎ体１５Ｂとを設けたベースカバー３を形成するには、ベースカバー３の上面側を成形するための上型と、ベースカバー３の下面側を成形するための下型と、吸込水通路用連結筒体３Ａから水平弁座部３Ｂまでの連通路３Ｈを成形するための側方型とによって、成形される。ベースカバー３の側面にできた型抜き開口３Ｊは、栓用弾性封止部材（Ｏリング）２１及び栓部材（キャップ）２０によって、水密的に密閉される。また、仕切り体１４は、水案内壁部１４Ａを設ける側の面を形成するための上型と、嵌合溝１４Ｅを設ける側の面を形成するための下型によって、上下に型抜きすることで、成形することができ、しかも、その上下に型抜きすることによって、吐出開口１４Ｂ、流体案内壁面１４Ｋ及び方向変更壁体１４Ｊを、仕切り体１４（水案内壁部１４Ａ及び袋状部１４Ｃ）の側面部分に、かつ戻し水口１７を、仕切り体１４の水案内壁部１４Ａにおける下端部分に、それぞれ容易に設けることができる。
【００３６】
上記実施形態の自吸式ポンプ装置１を使用する場合には、始めに、ポンプケーシング本体２の吸込口用筒体２Ｃに吸水ホース（図示せず）を装着した後、呼び水口用筒体２Ｈから気水分離室２Ａ、ポンプランナー収納室６、吸込室８及び細長筒状体９に、水位Ｌ１（吐出口用筒体２Ｄの下端高さ位置）まで、呼び水（流体）を注入する。
【００３７】
次いで、自吸式ポンプ装置１の内部に、呼び水が注入された状態で、駆動モータ４を回転させて、駆動モータ４の回転軸４Ａに設けたポンプランナー５を高速で回転させる。このことにより、ポンプランナー５の中心は負圧となる。そして、ポンプランナー５の中心が負圧になると、この負圧に引かれて、逆流防止弁１０が開き、吸込口用筒体２Ｃに装着された吸水ホース（図示せず）内の空気が、ポンプランナー５側に吸込まれて、呼び水と気水混合された状態となり、ポンプランナー収納室６内を高速で通過し、空気を含んだ呼び水が仕切り体１４の吐出開口１４Ｂから高速で吐出する。
【００３８】
仕切り体１４の吐出開口１４Ｂから吐出した空気を含んだ呼び水は、流体案内壁面１４Ｋに案内されて方向変更壁体１４Ｊに衝突して、その呼び水の流速が弱められとともに、呼び水の流れ方向が水平方向から垂直方向に変えられるために、呼び水に含まれている比重の軽い空気が気水分離室２Ａの上方に向かって移動するとともに、方向変更壁体１４Ｊに衝突した後に、気水分離室２Ａに導かれた呼び水が、旋回阻止体１５を構成する第１塞ぎ体１５Ａ及び第２塞ぎ体１５Ｂによって細長筒状体９の周囲を縦渦となって旋回することなく、気水分離室２Ａの広い部屋部分に導かれて気水分離されるので、呼び水に含まれた空気がポンプケーシング本体２の吐出口用筒体２Ｄから外（大気）に効率よく排気され、かつ、呼び水がポンプケーシング本体２の吐出口用筒体２Ｄから外（大気）に流出するのを抑止される。
【００３９】
一方、方向変更壁体１４Ｊに衝突して流速が弱められた呼び水は、気水分離室２Ａに導かれた後、立ち上がり外周壁部３Ｄ及び水案内壁部１４Ａとベースカバー３内側壁との間に形成された循環通路１６に導かれてその循環通路１６に設けた戻し水口１７からポンプランナー収納室６内に戻り、吸込口用筒体２Ｃより吸込まれた空気と混合して再び高速で仕切り体１４の吐出開口１４Ｂから方向変更壁体１４Ｊに向かって吐出させられる。この動作を繰り返すことで、吸込口用筒体２Ｃに装着された吸水ホース内の空気が完全に排出されて自吸運転が完了する。自吸運転が完了すると、ポンプケーシング本体２の吸込口用筒体２Ｃより揚水された流体が、吸込水通路７及び吸込室８を介してポンプランナー収納室６を構成する水案内壁部１４Ａの吐出開口１４Ｂから気水分離室２Ａに流入して、吐出口用筒体２Ｄから吐出されるようになることで、給水運転が行われるようになる。
【００４０】
給水運転を所望時間実行させた後、駆動モータ４を停止させると、ポンプランナー５の中心の負圧がなくなり、逆流防止弁１０の弁体部１０Ａが重量（自重）で水平弁座部３Ｂに押圧させられることによって、逆流防止弁１０が閉じる。この結果、吸込室８から吸込水通路７側への流体の逆流が確実に阻止され、気水分離室２Ａ及びポンプランナー収納室６内に流体が残った状態が維持させることによって、次回の自吸運転に備えることとなり、一連の自吸運転及び給水運転が終了する。
【００４１】
次に、上記実施形態の自吸式ポンプ装置１の組立手順を、詳説する。
【００４２】
まず、ポンプケーシング本体２の支え筒部２Ｆに、シール部材１１を装着した後、ポンプケーシング本体２の駆動モータ収納室２Ｂに駆動モータ４を挿入してその駆動モータ４の回転軸４Ａを、回転軸挿入開口２Ｓに挿入することにより、支え筒部２Ｆ内に突出させ、その突出させた回転軸４Ａに、ポンプランナー５の軸部を圧入固定し、その後、モータキャップ１２をポンプケーシング本体２の駆動モータ収納室２Ｂの上方に位置するポンプケーシング本体２の上面部分に取り付けることにより、ポンプケーシング本体２側の部組（以下、ポンプケーシング部組と称する。）を完成させる。
【００４３】
次いで、予め、型抜き開口３Ｊを、栓用弾性封止部材（パッキン）２１を介して栓部材２０を溶着等で取り付けることによって密閉してなるベースカバー３内に、逆流防止弁１０に、逆流防止弁１０と弾性封止部材（パッキン）１８を装着する。すなわち、ベースカバー３の吸込水通路用連結筒体３Ａ内に弾性封止部材（パッキン）１８を挿入するとともに、ベースカバー３の逆流防止弁用取り付け凹部３Ｃ内に逆流防止弁１０の取り付け片部１０Ｂを挿入する
【００４４】
次いで、仕切り体１４の下面に形成した嵌合溝１４Ｅを、立ち上がり外周壁部３Ｄの上端に嵌め合わせることにより、仕切り体１４をベースカバー３の立ち上がり外周壁部３Ｄに装着することで、逆流防止弁１０の取り付け片部１０Ｂを、仕切り体１４の押え部１４Ｆと逆流防止弁用取り付け凹部３Ｃが設けられる横架平板部３Ｋとの間で挟持させることによって、逆流防止弁１０の取り付け片部１０Ｂを逆流防止弁用取り付け凹部３Ｃに固定保持させた後、ベースカバー３の溶着用溝３Ｇの全周にステンレス線１９を挿入することで、ベースカバー３側の部組（以下、ベースカバー部組と称する。）を完成させる。
【００４５】
次いで、ポンプケーシング本体２における細長筒状体９の径小部９Ａを、ベースカバー３の吸込水通路用連結筒体３Ａ内に嵌合させるとともに、ポンプケーシング本体２の溶着用リブ２Ｎをベースカバー３の溶着用溝３Ｇに嵌合することで、ポンプケーシング部組をベースカバー部組に組み込む。
【００４６】
最後に、ポンプケーシング本体２の取り付けフランジ２Ｍとベースカバー３の取り付けフランジを、そのベースカバー３の溶着用溝３Ｇに挿入されているステンレス線１９に通電することによって溶着させることで、ポンプケーシング部組と、ベースカバー部組が水密的に一体となり、自吸式ポンプ装置１の組立作業が終了する。  
【００４７】
上記実施形態の自吸式ポンプ装置１の組立手順によれば、すべての部品の組立作業を、流れ作業で円滑に難なく行うことができ、自吸式ポンプ装置１の製作性を向上させることができる。
【００４８】
さらに、上記実施形態の自吸式ポンプ装置１によれば、仕切り体１４の吐出開口１４Ｂから吐出された呼び水に混合された空気を円滑に分離してポンプケーシング本体２の吐出口用筒体２Ｄ及び呼び水口用筒体２Ｈから効率よく排出されることができるとともに、ポンプケーシング本体２内の呼び水が吐出口用筒体２Ｄ及び呼び水口用筒体２Ｈからポンプケーシング本体２外に吐出して減少するのを抑えることができ、自吸性能を向上させることができる。なお、上記実施形態の自吸式ポンプ装置１によれば、一端がポンプケーシング本体２の吸込口用筒体２Ｃに取り付けられ、かつ、他端が浴槽内に投入された長さ４ｍの蛇腹タイプの吸水ホースを使用して、吸上げ高さ１．２ｍの条件で吸水させた場合に、自吸時間は従来よりも約１０秒短縮することが可能であることが確認できた。
【００４９】
さらに、上記実施形態の自吸式ポンプ装置１によれば、吐出口用筒体２Ｄを呼び水口用筒体２Ｈに設けられている位置に設け、かつ、呼び水口用筒体２Ｈを吐出口用筒体２Ｄに設けられている位置に設けるようにしても、仕切り体１４の吐出開口１４Ｂから吐出された呼び水に混合された空気をポンプケーシング本体２の吐出口用筒体２Ｄ及び呼び水口用筒体２Ｈから効率よく排出されることができ、かつ、ポンプケーシング本体２内の呼び水が吐出口用筒体２Ｄ及び呼び水口用筒体２Ｈからポンプケーシング本体２外に吐出して減少するのを抑えることができる。したがって、トップカバーなどへの載置条件の異なる洗濯機に合わせて、吐出口用筒体２Ｄと呼び水口用筒体２Ｈの位置を変えることができので、自吸式ポンプ装置１の設計自由度を向上させることができる。
【００５０】
さらに、上記実施形態の自吸式ポンプ装置１によれば、上下の型抜きで、仕切り体１４の水案内壁部１４Ａにおける下端部分に戻し水口１７及び吐出開口１４Ｂを、簡単に作ることができるので、製作性がよい。また、仕切り体１４は、流防止弁１０の弁体部１０Ａを水平に配設することで、逆流防止弁１０を収納するための袋状部１４Ｃの高さを、水案内壁部１４Ａの高さと同一に設定することができるとともに、嵌合溝１４Ｅを立ち上がり外周壁部３Ｄに嵌め込むことによって吸込室８が形成されるようにしたので、小形にすることができる。
【００５１】
さらに、上記実施形態の自吸式ポンプ装置１によれば、旋回阻止体１５を、細長筒状体９外側壁とポンプケーシング本体２内側壁との間の間隙を塞ぐ第１塞ぎ体１５Ａと、ベースカバー３の吸込水通路用連結筒体３Ａ外側壁とベースカバー３の内側壁との間の間隙を塞ぐ第２塞ぎ体１５Ｂとから構成したので、第１塞ぎ体１５Ａをポンプケーシング本体２の成形時に一体に作ることができ、かつ、第２塞ぎ体１５Ｂをベースカバー３の成形時に一体に作ることができるので、製作性の向上を図ることができる。
【００５２】
さらに、上記実施形態の自吸式ポンプ装置１によれば、戻し水口１７と方向変更壁体１４Ｊとが、ポンプランナー５の筒状軸部５Ａの中心にして略対向する位置関係となるように設定することにより、気水分離室２Ａ側及び仕切り体１４の吐出開口１４Ｂ部分の両方から最も離れた位置に戻し水口１７が設けられるようにしたので、仕切り体１４の吐出開口１４Ｂから気水分離室２Ａ側に吐出した流体中に含まれている空気が戻し水口１７から
ポンプランナー収納室６内に戻ることを抑止することができる。すなわち、戻し水口１７
を気水分離室２Ａ側から離れた位置に設けることで、仕切り体１４の吐出開口１４Ｂより気水分離室２Ａ側に吐出した流体中に含まれている空気が、戻し水口１７からポンプランナー収納室６内に戻ることが抑止されるとともに、戻し水口１７が仕切り体１４の吐出開口１４Ｂから離れた位置に設けることで、仕切り体１４の吐出開口１４Ｂより気水分離室
２Ａ側に吐出した流体中に含まれている空気が、戻し水口１７からポンプランナー収納室６内に戻ることが抑止される。また、循環通路１６をベースカバー３の内底に沿って形成させることができ、かつ、水案内壁部１４Ａの吐出開口１４Ｂの高さ位置を、ベースカバー３内に設定することができるので、水案内壁部１４Ａの吐出開口１４Ｂからポンプケーシング本体２の吐出口用筒体２Ｄまでの距離を大きく設定することができるため、気水分離が効率よく行われる。
【００５３】
さらに、上記実施形態の自吸式ポンプ装置１によれば、ポンプランナー収納室６と吸込口用筒体２Ｃを連通させるところの細長筒状体９を、気水分離室２Ａ内を貫きベースカバー３内底に形成した吸込室８に連通させるようにしたので、ポンプケーシング本体２及びベースカバー３を小形にまとめることができる。
【００５４】
さらに、上記実施形態の自吸式ポンプ装置１によれば、ベースカバー３の水平弁座部３Ｂの上面と逆流防止弁１０の弁体部１０Ａの下面がともに水平となるので、水平弁座部３Ｂ全体に、逆流防止弁１０の弁体部１０Ａが略均一に強く押し付けられるため、吸込室８から吸込水通路７を介して吸込口用筒体２Ｃ側への水の逆流を確実に阻止することができる。また、気水分離室２Ａ内の細長筒状体９を、駆動モータ収納室２Ｂ側から離れる方向にずらしてあるので、逆流防止弁１０の弁体部１０Ａを水平に配設するための水平方向の配置寸法を、ポンプケーシング本体２の外形寸法を大きくすることなく、確保できる。
【００５５】
さらに、上記実施形態の自吸式ポンプ装置１によれば、逆流防止弁１０を、円盤状の弁体部１０Ａと、この弁体部１０Ａに一体的に形成された取り付け片部１０Ｂとから構成し、しかも、弁体部１０Ａの重量を、ポンプランナーの回転時に弁体部１０Ａが上方に回動することで水平弁座部３Ｂから離れることが可能となる重量に設定し、かつポンプランナーの回転停止時に、弁体部１０Ａの重量で、その弁体部１０Ａが下方に回動して水平弁座部３Ｂに押圧されるようにしたので、吸込室８から吸込水通路７側への流体の逆流を確実に阻止することができる。
【００５６】
さらに、上記実施形態の自吸式ポンプ装置１によれば、吐出開口１４Ｂを有する水案内壁部１４Ａ及び逆流防止弁１０を収納する袋状部１４Ｃを形成した仕切り体１４を、ポンプケーシング本体２の外底部２Ｅと立ち上がり外周壁部３Ｄとの間で挟持することで、吸込室８を形成すると同時に、逆流防止弁用取り付け凹部３Ｃに逆流防止弁１０の取り付け片部１０Ｂが固定保持されるとともに、吸込水通路用連結筒体３Ａに細長筒状体９の下端側が連結嵌合されるため、ポンプケーシング本体２と仕切り体１４とベースカバー３との組立を円滑に行うことができる。
【００５７】
さらに、上記実施形態の自吸式ポンプ装置１では、逆流防止弁１０によって、自吸後、ポンプランナー５の回転を停止させた場合に、吸込室８の水が吸水口２Ｃ側に逆流することなく、吸込室８及びポンプランナー収納室６に水が満たされているため、再度、ポンプランナー５を回転させると、例えば、浴槽（風呂）から洗濯槽への風呂水（洗濯水）の給水を、直ちに行わせることができので、洗濯作業において、洗濯工程終了後、給水工程を経由してすすぎ工程に移行する場合に、ポンプ自吸運転時間を要することなく、給水開始指令と同時に洗濯槽への風呂水（洗濯水）の給水を行わせることができ、洗濯作業時間を短縮させることができる。
【００５８】
さらに、上記実施形態の自吸式ポンプ装置１によれば、ポンプランナー５の回転を停止した状態で、呼び水口用筒体２Ｈから気水分離室、ポンプランナー収納室６及び吸込室８内に流入させた水道水を、吐出口用筒体２Ｄから供給パイプ（図示せず）を介して洗濯槽（図示せず）へ流出させるように使用した場合であっても、逆流防止弁１０が確実に閉じており、その水道水が吸込室８側から吸込水通路７を介してポンプケーシング本体２の外に溢れてしまうことがない。
【００５９】
上記実施形態の自吸式ポンプ装置１は、ポンプケーシング本体２に呼び水口用筒体２Ｈを設ける構成としているが、本発明は、これに限定されない。呼び水口用筒体２Ｈを設けないポンプケーシング本体としたポンプ装置であっても、本発明を採用することができる。また、上記実施形態例では、呼び水を水道水とし、かつ給水されるものを風呂水としたが、これに限定されるものではなく、他の流体を自吸運転及び給水運転させる場合にも、本発明を適用できる。
【図面の簡単な説明】
【００６０】
【図１】本発明の一実施形態に係わる自吸式ポンプ装置の要部縦断面図である。
【図２】本発明の一実施形態に係わる自吸式ポンプ装置全体の分解斜視図である。
【図３】本発明の一実施形態に係わる自吸式ポンプ装置の外観斜視図である。
【図４】本発明の一実施形態に係わる自吸式ポンプ装置の右側面図である。
【図５】図４のＡ―Ａ断面図である。
【図６】本発明の一実施形態に係わる自吸式ポンプ装置における仕切り体及びベースカバーを分解した状態を上方から見た斜視図である。
【図７】本発明の一実施形態に係わる自吸式ポンプ装置におけるベースカバーの正面図である。
【図８】本発明の一実施形態に係わる自吸式ポンプ装置におけるベースカバーの上面図である。
【図９】本発明の一実施形態に係わる自吸式ポンプ装置におけるベースカバーの下面図である。
【図１０】本発明の一実施形態に係わる自吸式ポンプ装置におけるベースカバーの右面図である。
【図１１】本発明の一実施形態に係わる自吸式ポンプ装置におけるベースカバーの左面図である。
【図１２】本発明の一実施形態に係わる自吸式ポンプ装置における仕切り体の上面図である。
【図１３】図１２のＢ―Ｂ断面図である。
【図１４】本発明の一実施形態に係わる自吸式ポンプ装置における仕切り体の下面図である。
【図１５】本発明の一実施形態に係わる自吸式ポンプ装置における仕切り体の左側面図である。
【図１６】本発明の一実施形態に係わる自吸式ポンプ装置の正面縮小図である。
【図１７】本発明の一実施形態に係わる自吸式ポンプ装置の上面縮小図である。
【図１８】本発明の一実施形態に係わる自吸式ポンプ装置の左側面縮小図である。
【図１９】本発明の一実施形態に係わる自吸式ポンプ装置の背面縮小図である。
【図２０】本発明の一実施形態に係わる自吸式ポンプ装置の下面縮小図である。
【図２１】本発明の一実施形態に係わる自吸式ポンプ装置における逆流防止弁の上面拡大図である。
【図２２】図２１のＣ―Ｃ断面図である。
【図２３】図２１のＤ―Ｄ断面図である。
【図２４】本発明の一実施形態に係わる自吸式ポンプ装置におけるポンプケーシング本体の要部横断面図である。
【図２５】本発明の一実施形態に係わる自吸式ポンプ装置におけるポンプケーシング本体の要部縦断面図である。
【符号の説明】
【００６１】
１    自吸式ポンプ装置
２    ポンプケーシング本体
２Ａ  気水分離室
２Ｂ  駆動モータ収納室
２Ｃ  吸込口用筒体
２Ｄ  吐出口用筒体
２Ｈ  呼び水口用筒体
３    ベースカバー
３Ａ  吸込水通路用連結筒体
３Ｂ  水平弁座部
３Ｃ  逆流防止弁用取り付け凹部
３Ｄ  立ち上がり外周壁部
３Ｈ  連通路
３Ｋ  横架平板部
４    駆動モータ
４Ａ  回転軸
５    ポンプランナー
５Ａ  筒状軸部
６    ポンプランナー収納室
７    吸込水通路
８    吸込室
９    細長筒状体
１０  逆流防止弁
１４  仕切り体
１４Ａ  水案内壁部
１４Ｂ  吐出開口
１４Ｃ  袋状部
１４Ｄ  流入開口
１４Ｊ  方向変更壁体
１４Ｋ  流体案内壁面
１５  旋回阻止体
１６  循環通路
１７  戻し水口
【図１】
0004386951.tif 000002
【図２】
0004386951.tif 000003
【図３】
0004386951.tif 000004
【図４】
0004386951.tif 000005
【図５】
0004386951.tif 000006
【図６】
0004386951.tif 000007
【図７】
0004386951.tif 000008
【図８】
0004386951.tif 000009
【図９】
0004386951.tif 000010
【図１０】
0004386951.tif 000011
【図１１】
0004386951.tif 000012
【図１２】
0004386951.tif 000013
【図１３】
0004386951.tif 000014
【図１４】
0004386951.tif 000015
【図１５】
0004386951.tif 000016
【図１６】
0004386951.tif 000017
【図１７】
0004386951.tif 000018
【図１８】
0004386951.tif 000019
【図１９】
0004386951.tif 000020
【図２０】
0004386951.tif 000021
【図２１】
0004386951.tif 000022
【図２２】
0004386951.tif 000023
【図２３】
0004386951.tif 000024
【図２４】
0004386951.tif 000025
【図２５】
0004386951.tif 000026